【手続補正書】
【提出日】平成28年8月4日(2016.8.4)
【手続補正１】
【補正対象書類名】明細書
【補正対象項目名】００１０
【補正方法】変更
【補正の内容】
【００１０】
本発明の目的を達成するための、情報処理装置で入力されたユーザ識別情報とパスワードを含むユーザ情報を記憶する記憶手段を備える画像形成装置であって、ユーザの操作に応じてユーザ識別情報とパスワードを含むユーザ情報を受け付けるユーザ情報受付手段と、読取対象物を読み取る読取手段と、前記ユーザ情報受付手段で受け付けたユーザ情報と前記記憶手段で記憶されているユーザ情報と一致した場合、前記読取手段で読み取られた読取対象物を一時的に利用する読取対象物とするか、通常利用する読取対象物とするかの種別を指定可能な指定画面を表示する表示手段と、前記指定画面で指定された種別で前記読取対象物が管理されるように、前記ユーザ情報と前記読取手段で読み取ることで得られた前記読取対象物の識別情報とを対応付けた認証情報を登録する登録手段とを備えることを特徴とする。
【手続補正２】
【補正対象書類名】特許請求の範囲
【補正対象項目名】全文
【補正方法】変更
【補正の内容】
【特許請求の範囲】
【請求項１】
情報処理装置で入力されたユーザ識別情報とパスワードを含むユーザ情報を記憶する記憶手段を備える画像形成装置であって、
ユーザの操作に応じてユーザ識別情報とパスワードを含むユーザ情報を受け付けるユーザ情報受付手段と、
読取対象物を読み取る読取手段と、
前記ユーザ情報受付手段で受け付けたユーザ情報と前記記憶手段で記憶されているユーザ情報と一致した場合、前記読取手段で読み取られた読取対象物を一時的に利用する読取対象物とするか、通常利用する読取対象物とするかの種別を指定可能な指定画面を表示する表示手段と、
前記指定画面で指定された種別で前記読取対象物が管理されるように、前記ユーザ情報と前記読取手段で読み取ることで得られた前記読取対象物の識別情報とを対応付けた認証情報を登録する登録手段と
を備えることを特徴とする画像形成装置。
【請求項２】
前記登録手段により前記一時的に利用する読取対象物として登録された読取対象物の識別情報の履歴情報を管理する履歴管理手段と、
前記履歴情報に従って、前記読取手段で読み取られた読取対象物が一時的に利用される読取対象物であると特定された場合には、一時的に利用される読取対象物として、前記ユーザ情報と前記読取手段で読み取ることで得られた前記読取対象物の識別情報とを対応付けた認証情報を登録することを特徴とする請求項１に記載の画像形成装置。
【請求項３】
前記表示手段は、前記読取手段で読み取られた読取対象物が一時的に利用される読取対象物であると特定された場合には、前記指定画面で前記読取対象物を一時的に利用する読取対象物とする種別が指定されるように制御することを特徴とする請求項２に記載の画像形成装置。
【請求項４】
前記登録手段で登録された認証情報を、前記種別に応じた設定タイミングで削除する第１の削除手段
を更に備えることを特徴とする請求項１乃至３のいずれか１項に記載の画像形成装置。
【請求項５】
前記登録手段で、通常利用する読取対象物となるように、前記ユーザ情報と前記読取手段で読み取ることで得られた前記読取対象物の識別情報とを対応付けた認証情報を登録することにより、一時的に利用される読取対象物として登録されている当該ユーザ情報に対応する識別情報を含む認証情報を削除する第２の削除手段
を更に備えることを特徴とする請求項１乃至４のいずれか１項に記載の画像形成装置。
【請求項６】
当該画像形成装置にログインすべく、前記読取手段で読取対象物が読み取られ、当該読取対象物の識別情報が通常利用される読取対象物として登録されている場合、当該ユーザ情報の一時的に利用される読取対象物として登録されている認証情報を削除する第３の削除手段
を更に備えることを特徴とする請求項１乃至５のいずれか１項に記載の画像形成装置。
【請求項７】
情報処理装置と、認証情報を管理する画像形成装置とを含む認証情報管理システムであって、
前記情報処理装置は、
ユーザ識別情報とパスワードを含むユーザ情報を取得する取得手段と、
前記ユーザ情報を前記画像形成装置へ送信する送信手段と
を備え、
前記画像形成装置は、
前記情報処理装置からユーザ情報を受信する受信手段と、
前記受信手段で受信したユーザ情報を記憶する記憶手段と、
ユーザの操作に応じてユーザ識別情報とパスワードを含むユーザ情報を受け付けるユーザ情報受付手段と、
読取対象物を読み取る読取手段と、
前記ユーザ情報受付手段で受け付けたユーザ情報と前記記憶手段で記憶されているユーザ情報と一致した場合、前記読取手段で読み取られた読取対象物を一時的に利用する読取対象物とするか、通常利用する読取対象物とするかの種別を指定可能な指定画面を表示する表示手段と、
前記指定画面で指定された種別で前記読取対象物が管理されるように、前記ユーザ情報と前記読取手段で読み取ることで得られた前記読取対象物の識別情報とを対応付けた認証情報を登録する登録手段と
を備えることを特徴とする認証情報管理システム。
【請求項８】
情報処理装置で入力されたユーザ識別情報とパスワードを含むユーザ情報を記憶する記憶手段を備える画像形成装置の処理方法であって、
前記画像形成装置が
ユーザの操作に応じてユーザ識別情報とパスワードを含むユーザ情報を受け付けるユーザ情報受付ステップと、
読取対象物を読み取る読取ステップと、
前記ユーザ情報受付ステップで受け付けたユーザ情報と前記記憶手段で記憶されているユーザ情報と一致した場合、前記読取ステップで読み取られた読取対象物を一時的に利用する読取対象物とするか、通常利用する読取対象物とするかの種別を指定可能な指定画面を表示する表示ステップと、
前記指定画面で指定された種別で前記読取対象物が管理されるように、前記ユーザ情報と前記読取ステップで読み取ることで得られた前記読取対象物の識別情報とを対応付けた認証情報を登録する登録ステップと
を実行することを特徴とする処理方法。
【請求項９】
情報処理装置と、認証情報を管理する画像形成装置とを含む認証情報管理システムの処理方法であって、
前記情報処理装置が、
ユーザ識別情報とパスワードを含むユーザ情報を取得する取得ステップと、
前記ユーザ情報を前記画像形成装置へ送信する送信ステップと
を実行し、
前記画像形成装置が、
前記情報処理装置からユーザ情報を受信する受信ステップと、
前記受信ステップで受信したユーザ情報を記憶制御する記憶制御ステップと、
ユーザの操作に応じてユーザ識別情報とパスワードを含むユーザ情報を受け付けるユーザ情報受付ステップと、
読取対象物を読み取る読取ステップと、
前記ユーザ情報受付ステップで受け付けたユーザ情報と前記記憶制御ステップで記憶されているユーザ情報と一致した場合、前記読取ステップで読み取られた読取対象物を一時的に利用する読取対象物とするか、通常利用する読取対象物とするかの種別を指定可能な指定画面を表示する表示ステップと、
前記指定画面で指定された種別で前記読取対象物が管理されるように、前記ユーザ情報と前記読取ステップで読み取ることで得られた前記読取対象物の識別情報とを対応付けた認証情報を登録する登録ステップと
を実行することを特徴とする処理方法。
【請求項１０】
情報処理装置で入力されたユーザ識別情報とパスワードを含むユーザ情報を記憶する記憶手段を備える画像形成装置のプログラムであって、
前記画像形成装置を
ユーザの操作に応じてユーザ識別情報とパスワードを含むユーザ情報を受け付けるユーザ情報受付手段と、
読取対象物を読み取る読取手段と、
前記ユーザ情報受付手段で受け付けたユーザ情報と前記記憶手段で記憶されているユーザ情報と一致した場合、前記読取手段で読み取られた読取対象物を一時的に利用する読取対象物とするか、通常利用する読取対象物とするかの種別を指定可能な指定画面を表示する表示手段と、
前記指定画面で指定された種別で前記読取対象物が管理されるように、前記ユーザ情報と前記読取手段で読み取ることで得られた前記読取対象物の識別情報とを対応付けた認証情報を登録する登録手段
として機能させることを特徴とするプログラム。
【請求項１１】
情報処理装置と、認証情報を管理する画像形成装置とを含む認証情報管理システムのプログラムであって、
前記情報処理装置を、
ユーザ識別情報とパスワードを含むユーザ情報を取得する取得手段と、
前記ユーザ情報を前記画像形成装置へ送信する送信手段
として機能させ、
前記画像形成装置を、
前記情報処理装置からユーザ情報を受信する受信手段と、
前記受信手段で受信したユーザ情報を記憶する記憶手段と、
ユーザの操作に応じてユーザ識別情報とパスワードを含むユーザ情報を受け付けるユーザ情報受付手段と、
読取対象物を読み取る読取手段と、
前記ユーザ情報受付手段で受け付けたユーザ情報と前記記憶手段で記憶されているユーザ情報と一致した場合、前記読取手段で読み取られた読取対象物を一時的に利用する読取対象物とするか、通常利用する読取対象物とするかの種別を指定可能な指定画面を表示する表示手段と、
前記指定画面で指定された種別で前記読取対象物が管理されるように、前記ユーザ情報と前記読取手段で読み取ることで得られた前記読取対象物の識別情報とを対応付けた認証情報を登録する登録手段
として機能させることを特徴とするプログラム。